(57)【特許請求の範囲】
【請求項１】
外部直流電源から第１直流電圧が供給される第１の送風ファンと第２の送風ファンと、第１環境と第２環境の空気を熱交換する熱交換器と、前記第２の送風ファンへ第２直流電圧を供給する入力端子とを設けた電子機器冷却ユニットと、外部交流電源から交流電圧が供給される電気ヒータと、前記外部交流電源を所定の値の直流電圧に変換して第２直流電圧を発生する電源回路と、この第２直流電圧を出力する出力端子を設けた加熱装置とを設け、前記入力端子と前記出力端子を接続して前記第２の送風ファンへ前記第２直流電圧を供給して、前記電気ヒータで暖めた空気を第２環境内へ送風し前記電子機器の起動加熱を行う発熱体収納装置用冷却装置。
【請求項２】
前記外部交流電源に接続した変圧器と、この変圧器の二次側に全波整流と倍電圧整流を切り替えて整流を行い出力電圧を所定の電圧に変換する前記電源回路を設けた請求項１記載の発熱体収納装置用冷却装置。
【請求項３】
全波整流に切り替えたときの直流電圧を２４Ｖとし、倍電圧整流に切り替えたときの直流電圧を４８Ｖとした前記電源回路を設けて第１直流電圧に合せた電圧に切り替えることを特徴とする請求項２記載の発熱体収納装置用冷却装置。
【請求項４】
前記電子機器冷却ユニットへ制御部を設け、この制御部は、第１直流電圧を検出する第１電圧検出部と、第２環境の温度を検知する温度検出部と、前記第１電圧検出部と温度検出部の信号を入力して、前記電気ヒータと第２の送風ファンの駆動の入り切りを判定する加熱制御部と、この加熱制御部の信号をそれぞれ受けて前記電源回路の出力電圧の切り替えを行う第１駆動部と第２の送風ファンを駆動する第２駆動部と電気ヒータの駆動をする第３駆動部とを有する請求項１記載の発熱体収納装置用冷却装置。
【請求項５】
制御部は、第２直流電圧を判別する第２電圧検出部を設け、第１駆動部は、この第２電圧検出部の信号を受けて前記電源回路の出力電圧の切り替えを行うとともに、前記加熱制御部から前記電気ヒータと第２の送風ファンの入りを促す信号を受けたとき、所定時間内は前記電源回路の出力電圧が低い側になるように制御することを特徴とする請求項４記載の発熱体収納装置用冷却装置。
【請求項６】
第２電圧検出部は前記入力端子に供給される電圧を計測して、第１駆動部を駆動する請求項５記載の発熱体収納装置用冷却装置。
【請求項７】
第２電圧検出部は第２の送風ファンの回転数を計測して、第１駆動部を駆動する請求項５記載の発熱体収納装置用冷却装置。
【請求項８】
第２電圧検出部は、第２の送風ファンへ流れる電流を計測して、第１駆動部を駆動する請求項５記載の発熱体収納装置用冷却装置。
【請求項９】
第２電圧検出部は切り替えスイッチの設定を行い、第１駆動部は前記切り替えスイッチの設定により所定の電圧を判別し前記電源回路の出力電圧を切り替える請求項４記載の発熱体収納装置用冷却装置。
【請求項１０】
請求項１から９のいずれかに記載の発熱体収納装置用冷却装置を用いた発熱体収納装置。
【発明の詳細な説明】
【技術分野】
【０００１】
本発明は、熱交換装置とそれを用いた発熱体収納装置に関するものである。
【背景技術】
【０００２】
例えば、携帯電話の基地局内に収納された通信装置は、数十アンペア以上の電流を消費することから、ある点では発熱体とも表現される。つまり、冷却をすることがその動作を安定化させるためには極めて重要なものとなる。このような携帯電話の基地局は特にその冷却を行う為に次のような構成をとっている。すなわち、この種の発熱体収納装置は、発熱体となる通信装置を収納したキャビネットと、このキャビネットの開口部に装着された冷却装置とを備えた構成となっていた。
【０００３】
また、前記通信装置は、携帯電話機の安定した無線通信を行うためその動作温度を一定値以上にしておくことも要望されていた。そして、特に外気温が低下すると、基地局内部の送・受信機に組み込まれた電子部品の性能が低下し安定した通信の確保が困難になることから、キャビネット内の温度を高くするために電気ヒータを備えたものがあった  以下、その冷却装置についてについて説明する。
【０００４】
冷却装置は、発熱体収納装置の壁面に取り付けるために例えば下記のような構成となっていた。すなわち、外気用の第１吸気口と第１吐出口および発熱体を収納したキャビネット内用の第２吸気口および第２吐出口を有する本体ケースと、この本体ケース内に設けられた外気用の第１の送風ファンおよびキャビネット内用の第２の送風ファンと、前記本体ケース内において室外空気とキャビネット内空気との熱交換を行う熱交換器とキャビネット内の空気を暖める電気ヒータユニットを備えた構成となっていた。
【０００５】
また、前記第１の送風ファンと第２の送風ファンは、冷却装置の小型化高性能化という要望からＤＣブラシレスモータを使用し、その電源は、キャビネット内の交流・直流変換装置から直流電圧として、２４Ｖまたは４８Ｖが供給されていた。
【０００６】
一方、キャビネット内の温度が所定値以下になると、前記交流・直流変換装置  は、基地局内の通信装置の動作を停止させるために直流電源の供給を停止するものであった。
【０００７】
そのため、電気ヒータユニットは、例えばＰＴＣヒータと第３の送風ファンとして交流のファンモータを備えて、基地局へ供給されている商用の交流電源から電力の供給を受けて動作を行うものであった。
【０００８】
そして、電気ヒータ備えて商用の交流電源を供給してキャビネット内の温度を高くする技術については特許文献１、特許文献２に記載されていた。
【先行技術文献】
【特許文献】
【０００９】
【特許文献１】特開２００１−３０８５７２号公報
【特許文献２】特開２００７−８８１２６号公報
【発明の概要】
【発明が解決しようとする課題】
【００１０】
このような発熱体収納装置用冷却装置では、通信装置の動作の安定を確保するために発熱体収納装置内の温度が所定の温度より低い場合には、交流・直流変換装置を停止させていたために電気ヒータユニットは、第３の送風ファンを用意しなければならなかった。
【００１１】
そこで、第３の送風ファンの代わりに第２の送風ファンを利用することが考えられた。しかし、商用の交流電源から直流電圧を発生させる電源回路を電気ヒータユニット内へ備えて、基地局の交流・直流変換装置の出力電圧に合せた直流電圧を第２の送風ファンへ供給することが必要となり、ヒータユニットは、２４Ｖ用と４８Ｖ用の二種類を用意しておく必要があり、冷却装置としてコスト高なものになってしまうという課題があった。
【００１２】
本発明は、このような従来の課題を解決するもので、コストダウンを図った発熱体収納装置用冷却装置を提供することを目的とする。
【課題を解決するための手段】
【００１３】
前記課題を解決するために、本発明の発熱体収納装置用冷却装置とそれを用いた発熱体収納装置は、外部直流電源から第１直流電圧が供給される第１の送風ファンと第２の送風ファンと、第１環境と第２環境の空気を熱交換する熱交換器と、前記第２の送風ファンへ第２直流電圧を供給する入力端子とを設けた電子機器冷却ユニットと、外部交流電源から交流電圧が供給される電気ヒータと、前記外部交流電源を所定の値の直流電圧に変換して第２直流電圧を発生する電源回路とこの第２直流電圧を出力する出力端子を設けた加熱装置とを設け、前記入力端子と前記出力端子を接続して前記第２の送風ファンへ前記第２直流電圧を供給して、前記電気ヒータで暖めた空気を第２環境内へ送風し前記電子機器の起動加熱を行うものである。
【００１４】
この手段により、電源回路が、外部交流電源から所定の直流電圧を発生させて電子機器冷却ユニットへ供給するので、外部直流電源の電圧に合せた電圧を第２の送風ファンへ供給することが可能となり、加熱装置として一機種を用意するだけで、複数の電圧に対応することができ、結果としてコストダウンを実現できるという効果のある発熱体収納装置用冷却装置とそれを用いた発熱体収納装置が得られる。
【００１５】
また、他の手段は、前記外部交流電源に接続した変圧器とこの変圧器の二次側に全波整流と倍電圧整流を切り替えて整流を行い出力電圧を所定の電圧に変換する前記電源回路を設けたものである。
【００１６】
この手段により、電源回路が、変圧器の二次側で全波整流回路と倍電圧回路を切り替えて直流電圧を発生させることで、所定の電圧を電子機器冷却ユニットへ供給することができ、外部直流電源の電圧に合せた電圧を第２の送風ファンへ供給することが可能となり、加熱装置として一機種を用意するだけで、複数の電圧に対応することができ、結果としてコストダウンを実現できるという効果のある発熱体収納装置用冷却装置とそれを用いた発熱体収納装置が得られる。
【００１７】
また、他の手段は、全波整流に切り替えたときの直流電圧を２４Ｖとし、倍電圧整流に切り替えたときの直流電圧を４８Ｖとした前記電源回路を設けて第１直流電圧に合せた電圧に切り替えることを特徴とするものである。
【００１８】
この手段により、電源回路が、変圧器の二次側で全波整流回路と倍電圧回路を切り替えて第２直流電圧を発生させることで、第１直流電圧に合せた電圧を電子機器冷却ユニットへ供給することができ、第２の送風ファンを第１直流電圧で駆動することが可能となり、加熱装置として一機種を用意するだけで、２４Ｖと４８Ｖの複数の直流電圧に対応することができ、結果としてコストダウンを実現できる効果のある発熱体収納装置用冷却装置とそれを用いた発熱体収納装置が得られる。
【００１９】
また、他の手段は、前記電子機器冷却ユニットへ制御部を設け、この制御部は、第１直流電圧を検出する第１電圧検出部と、第２環境の温度を検知する温度検出部と、前記第１電圧検出部と温度検出部の信号を入力して、前記電気ヒータと第２の送風ファンの駆動の入り切りを判定する加熱制御部と、この加熱制御部の信号をそれぞれ受けて前記電源回路の出力電圧の切り替えを行う第１駆動部と第２の送風ファンを駆動する第２駆動部と電気ヒータの駆動をする第３駆動部とを有するものである。
【００２０】
この手段により、第１電圧検出部と温度検出部が第１直流電圧と第２環境の温度を検知して、加熱制御部は、第３駆動部により電気ヒータの駆動を行い、第１駆動部により第２直流電圧を所定の電圧に調整して、第２の送風ファンに供給するとともに、第２駆動部により第２の送風ファンを駆動して第２環境の加熱を行うことにより、加熱装置は、電子機器の起動時の加熱を行うことができる。そして、特に第１駆動部により第２直流電圧を所定の電圧に調整して加熱装置から電子機器冷却装置へ直流電源を供給して第２の送風ファンを駆動することができ、一種類の加熱装置を用意するだけで、前記所定の電圧の対応することができる。その結果として、コストダウンを実現できるという効果のある発熱体収納装置用冷却装置とそれを用いた発熱体収納装置が得られる。
【００２１】
また、他の手段は、制御部は、第２直流電圧を判別する第２電圧検出部を設け、第１駆動部は、この第２電圧検出部の信号を受けて前記電源回路の出力電圧の切り替えを行うとともに、前記加熱制御部から前記電気ヒータと第２の送風ファンの入りを促す信号を受けたとき、所定時間内は前記電源回路の出力電圧が低い側になるように制御することを特徴とするものである。
【００２２】
この手段により、所定時間内は、第２直流電圧を低い側の電圧で出力することで、第２電圧検出部は、第２直流電圧を判別して、その後第１駆動部にて所定の電圧へ切り替えることができ、第２の送風ファンへ許容動作電圧を超える電圧を供給することを防止できる。そして、加熱装置は、一機種を用意するだけでも複数の外部直流電圧に対応することができる。結果として、コストダウンを実現できるという効果のある発熱体収納装置用冷却装置とそれを用いた発熱体収納装置が得られる。
【００２３】
また、他の手段は、第２電圧検出部は前記入力端子に供給される電圧を計測して、第１駆動部を駆動するものである。
【００２４】
この手段により、所定時間内は、第２直流電圧を低い側の電圧で出力することで、第２電圧検出部は、第２直流電圧を計測して、第１駆動部は、第２直流電圧を判別し、その後所定の電圧へ切り替えることができ、第２の送風ファンへ定格電圧を超える電圧を供給することを防止できる。そして、加熱装置は、一機種を用意するだけでも複数の外部直流電圧に対応することができる。結果として、コストダウンを実現できるという効果のある発熱体収納装置用冷却装置とそれを用いた発熱体収納装置が得られる。
【００２５】
また、他の手段は、第２電圧検出部は、第２の送風ファンの回転数を計測して、第１駆動部を駆動するものである。
【００２６】
この手段により、所定時間内は、第２直流電圧を低い側の電圧で出力することで、第２電圧検出部は、第２の送風ファンの回転数を計測して、第１駆動部は、第２直流電圧を判別し、その後所定の電圧へ切り替えることができ、第２の送風ファンへ許容動作電圧を超える電圧を供給することを防止できる。そして、加熱装置は、一機種を用意するだけでも複数の外部直流電圧に対応することができる。結果として、コストダウンを実現できるという効果のある発熱体収納装置用冷却装置とそれを用いた発熱体収納装置が得られる。
【００２７】
また、他の手段は、第２電圧検出部は、第２の送風ファンへ流れる電流を計測して、第１駆動部を駆動するものである。
【００２８】
この手段により、所定時間内は、第２直流電圧を低い側の電圧で出力することで、第２電圧検出部は、第２の送風ファンへ流れる電流を計測して、第１駆動部は、第２直流電圧を判別し、その後所定の電圧へ切り替えることができ、第２の送風ファンへ許容動作電圧を超える電圧を供給することを防止できる。そして、加熱装置は、一機種を用意するだけでも複数の外部直流電圧に対応することができる。結果として、コストダウンを実現できるという効果のある発熱体収納装置用冷却装置とそれを用いた発熱体収納装置が得られる。
【００２９】
また、他の手段は、第２電圧検出部は切り替えスイッチの設定を行い、第１駆動部は前記切り替えスイッチの設定により所定の電圧を判別し前記電源回路の出力電圧を切り替えるものである。
【００３０】
この手段により、第２電圧検出部は、第１駆動部にて第２電圧を所定の電圧へ切り替えて調整することができ、第２の送風ファンへ許容動作電圧を超える電圧を供給することを防止できる。そして、加熱装置は、一機種を用意するだけでも複数の外部直流電圧に対応することができる。結果として、コストダウンを実現することができるという効果のある発熱体収納装置用冷却装置とそれを用いた発熱体収納装置が得られる。
【００３１】
さらに、以上の手段により、発熱体収納装置内の温度が低い場合でも内部の温度を上げて、通信装置の動作環境温度を確保することができるという効果のある発熱体収納装置用冷却装置とそれを用いた発熱体収納装置が得られる。
【発明の効果】
【００３２】
本発明の発熱体収納装置用冷却装置とそれを用いた発熱体収納装置によれば、外部直流電源から第１直流電圧が供給される第１の送風ファンと第２の送風ファンと、第１環境と第２環境の空気を熱交換する熱交換器と、前記第２の送風ファンへ第２直流電圧を供給する入力端子とを設けた電子機器冷却ユニットと、外部交流電源から交流電圧が供給される電気ヒータと、前記外部交流電源を所定の値の直流電圧に変換して第２直流電圧を発生する電源回路と、この第２直流電圧を出力する出力端子を設けた加熱装置とを設け、前記入力端子と前記出力端子を接続して前記第２の送風ファンへ前記第２直流電圧を供給して、前記電気ヒータで暖めた空気を第２環境内へ送風し前記電子機器の起動加熱を行うもので、電源回路は、外部交流電源から所定の電圧の第２直流電圧を発生させて出力端子から入力端子へ接続することで、加熱装置から電子機器冷却ユニットへ第２直流電圧を供給し、第２の送風ファンを駆動するとともに外部交流電源に接続された電気ヒータによって温められた空気を第２環境内へ送風して、電子機器の起動加熱を行うことができ、加熱装置として一機種を用意するだけで、複数の電圧に対応することができ、結果としてコストダウンを実現することができるという効果のある発熱体収納装置用冷却装置とそれを用いた発熱体収納装置を提供することができる。
【図面の簡単な説明】
【００３３】
【図１】本発明の実施の形態１の発熱体収納装置の設置状態を示す図
【図２】同実施の形態１の発熱体収納装置の構成を示す図
【図３】同実施の形態１の発熱体収納装置用冷却装置の構成を示す図
【図４】同実施の形態１の加熱装置の構成を示すブロック図
【図５】同実施の形態１の加熱制御部の動作を示すフローチャート
【図６】同実施の形態１の第１駆動部の動作を示すフローチャート
【図７】同実施の形態２の第１駆動部の動作を示すフローチャート
【図８】同実施の形態３の第１駆動部の動作を示すフローチャート
【図９】同実施の形態４の第１駆動部の動作を示すフローチャート
【発明を実施するための形態】
【００３４】
請求項１記載の発明は、外部直流電源から第１直流電圧が供給される第１の送風ファンと第２の送風ファンと、第１環境と第２環境の空気を熱交換する熱交換器と、前記第２の送風ファンへ第２直流電圧を供給する入力端子とを設けた電子機器冷却ユニットと、外部交流電源から交流電圧が供給される電気ヒータと、前記外部交流電源を所定の値の直流電圧に変換して第２直流電圧を発生する電源回路と、この第２直流電圧を出力する出力端子を設けた加熱装置とを設け、前記入力端子と前記出力端子を接続して前記第２の送風ファンへ前記第２直流電圧を供給して、前記電気ヒータで暖めた空気を第２環境内へ送風し前記電子機器の起動加熱を行う発熱体収納装置用冷却装置あって、電源回路は、外部交流電源から第２直流電圧を発生させて出力端子から入力端子へ接続することで、加熱装置から電子機器冷却ユニットへ第２直流電圧を供給し、第２の送風ファンを駆動するとともに外部電源に接続された電気ヒータによって温められた空気を第２環境内へ送風して、電子機器の起動加熱を行う作用を有する。
【００３５】
また、請求項２記載の発明は、前記外部交流電源に接続した変圧器と、この変圧器の二次側に全波整流と倍電圧整流を切り替えて整流を行い出力電圧を所定の電圧に変換する前記電源回路を設けた発熱体収納装置用冷却装置であって、第２直流電圧を全波整流と倍電圧整流を切り替えて所定の電圧に調整し、加熱装置から電子機器冷却ユニットへ第２直流電圧を供給する作用を有する。
【００３６】
また、請求項３記載の発明は、全波整流に切り替えたときの直流電圧を２４Ｖとし、倍電圧整流に切り替えたときの直流電圧を４８Ｖとした前記電源回路を設けて第１直流電圧に合せた電圧に切り替えることを特徴とする発熱体収納装置用冷却装置であって、全波整流と倍電圧整流のどちらかに切り替えた電圧を加熱装置から電子機器冷却ユニットへ供給する作用を有する。
【００３７】
また、請求項４記載の発明は、前記電子機器冷却ユニットへ制御部を設け、この制御部は、第１直流電圧を検出する第１電圧検出部と、第２環境の温度を検知する温度検出部と、前記第１電圧検出部と温度検出部の信号を入力して、前記電気ヒータと第２の送風ファンの駆動の入り切りを判定する加熱制御部と、この加熱制御部の信号をそれぞれ受けて前記電源回路の出力電圧の切り替えを行う第１駆動部と第２の送風ファンを駆動する第２駆動部と電気ヒータの駆動をする第３駆動部とを有する発熱体収納装置用冷却装置であって、第１電圧検出部と温度検出部が第１直流電圧と第２環境の温度を検知して、加熱制御部は、第３駆動部により電気ヒータの駆動を行い、第１駆動部により第２直流電圧を所定の電圧に調整して、第２ファンに供給するとともに、第２駆動部により第２の送風ファンを駆動して第２環境の加熱を行う作用を有する。
【００３８】
また、請求項５記載の発明は、制御部は、第２直流電圧を判別する第２電圧検出部を設け、第１駆動部は、この第２電圧検出部の信号を受けて前記電源回路の出力電圧の切り替えを行うとともに、前記加熱制御部から前記電気ヒータと第２の送風ファンの入りを促す信号を受けたとき、所定時間内は前記電源回路の出力電圧が低い側になるように制御することを特徴とする請求項４記載の発熱体収納装置用冷却装置であって、所定時間内は、整流回路は、第２直流電圧を低い側の電圧で出力し、第２の送風ファンが駆動され、その後、第２電圧検出部の信号により所定の電圧へ切り替えられる作用を有する。
【００３９】
また、請求項６記載の発明は、第２電圧検出部は、前記入力端子に供給される電圧を計測して、第１駆動部を駆動する発熱体収納装置用冷却装置であって、第２電圧検出部が、入力端子の電圧を計測して判別することで、第１駆動部を切り替えて所定の電圧に調整する作用を有する。
【００４０】
また、請求項７記載の発明は、第２電圧検出部は、第２の送風ファンの回転数を計測して、第１駆動部を駆動する発熱体収納装置用冷却装置であって、第２電圧検出部が、第２の送風ファンの回転数を計測して判別することで、第１駆動部を切り替えて所定の電圧に調整する作用を有する。
【００４１】
また、請求項８記載の発明は、第２電圧検出部は、第２の送風ファンへ流れる電流を計測して、第１駆動部を駆動する発熱体収納装置用冷却装置であって、第２電圧検出部が、第２の送風ファンへ流れる電流を計測して判別することで、第１駆動部を切り替えて所定の電圧に調整する作用を有する。
【００４２】
また、請求項９記載の発明は、  第２電圧検出部は切り替えスイッチの設定を行い、第１駆動部は前記切り替えスイッチの設定により所定の電圧を判別し前記電源回路の出力電圧を切り替える発熱体収納装置用冷却装置であって、第２電圧検出部は、切り替えスイッチの設定に応じて、第１駆動部を切り替える第２電圧を所定の電圧にする調整する作用を有する。
【００４３】
また、請求項１０記載の発明は、請求項１から９のいずれかに記載の発熱体収納装置用冷却装置を用いた発熱体収納装置であって、発熱体収納装置用冷却装置は、第２環境である発熱体収納装置内の温度が低いときに外部交流電源から電源の供給を受けて第２の送風ファンと電気ヒータを駆動して、第２環境温度を上げることとができる。そして、通信装置の動作を開始させる作用を有する。
【００４４】
以下、本発明の実施の形態について図面を参照しながら説明する。
【００４５】
（実施の形態１）
図１に示す１はビルディングを示し、その屋上２には発熱体収納装置としての携帯電話の基地局３が設けられている。基地局３は箱状のキャビネット４とこのキャビネット４内に設けた通信装置５と前記キャビネット４の前面開口部にドアのごとく開閉自在に設けた発熱体収納装置用冷却装置６とにより構成されている。
【００４６】
前記発熱体収納装置用冷却装置６は、図２から図４に示すように、電子機器冷却ユニット７と加熱装置８から構成され、電子機器冷却ユニット７は、外気（第１環境）用の第１吸気口９と第１吐出口１０、およびキャビネット４内（第２環境）用の第２吸気口１１および第２吐出口１２を有する本体ケース１３と、この本体ケース１３内に設けられた外気（第１環境）用の第１の送風ファン１４およびキャビネット４内（第２環境）用の第２の送風ファン１５と、前記本体ケース１３内において外気（第１環境）の空気とキャビネット４内（第２環境）の空気との熱交換を行う熱交換器１６とを備えている。
【００４７】
前記熱交換器１６は、図示して説明はしないが、一般的な構造として以下のように構成されている。第１の板体の表面上に、第２の板体、第２の板体の表面上に第３の板体をそれぞれ所定間隔を離した状態で重合させて略直方体に形成した構成とし、前記第１の板体の第２の板体側の表面には、第１の板体の表面をレーン状に仕切る複数の第１の整流壁、前記第２の板体の第３の板体側の表面には、第２の板体の表面をレーン状に仕切る複数の第２の整流壁をそれぞれ設けた構成となっており、本体ケース１３の中央部分に配置している。
【００４８】
本体ケース１３には、厚さ方向に外気とキャビネット４内を隔てて、かつ表面と裏面に第１吸気口９と第２吸気口１１を設け、遠心送風機である前記第１の送風ファン１４と第２の送風ファン１５は、これら吸気口に吸い込み口をそれぞれ対向させて配置する。
【００４９】
電子機器冷却ユニット７は、携帯電話の基地局３であるキャビネット４内に設けた交流・直流変換装置１７が供給する外部直流電源１８に接続され、この外部直流電源１８からの第１直流電圧Ｖ１は、ＤＣブラシレスモータと遠心ファンでそれぞれ構成した第１の送風ファン１４と第２の送風ファン１５へ供給される。
【００５０】
また、前記第２の送風ファン１５へ第２直流電圧Ｖ２を供給する入力端子１９を設けている。
【００５１】
さらに、電子機器冷却ユニット７は、制御部２０を設けている。この制御部２０は、第１直流電圧Ｖ１を検出する第１電圧検出部２１と、第２環境の温度を検知する温度検出部２２と、前記第１電圧検出部２１と温度検出部２２に接続され、これらの信号を受けてキャビネット４内の空気を加熱する必要の「有」「無」、すなわち電気ヒータ２３（後述する）と第２の送風ファン１５の駆動「入り」「切り」を判定する加熱制御部２４と、この加熱制御部２４の信号を受けて電源回路２５（後述する）の切り替えを行う第１駆動部２６と第２の送風ファン１５を駆動する第２駆動部２７と電気ヒータ２３の駆動をする第３駆動部２８とを有するものである。
【００５２】
また、制御部２０は、第２直流電圧Ｖ２を計測して判別する第２電圧検出部２９を設け、第１駆動部２６は、この第２電圧検出部２９の信号を受けて電源回路２５の出力電圧の切り替えを行うとともに、加熱制御部２４から電気ヒータ２３と第２の送風ファン１５の「入り」を促す信号を受けたとき、所定時間内は電源回路２５の出力電圧が低い側に設定する構成とする。
【００５３】
加熱装置８は、前記第２吸気口１１、熱交換器１６、第２の送風ファン１５、第２吐出口１２へ連通する風路の一部に配置するものである。
【００５４】
また、加熱装置８は、キャビネット４へ供給される商用電源である外部交流電源３０から交流電圧が供給されるＰＴＣヒータ、シーズヒータまたはカーボンヒータを用いた電気ヒータ２３と、前記外部交流電源３０を所定の値の直流電圧に変換して第２直流電圧Ｖ２を発生する電源回路２５とこの第２直流電圧Ｖ２を出力する出力端子３１を設け構成される。そして、前記入力端子１９と前記出力端子３１を介して加熱装置８側から電子機器冷却ユニット７側へ第２直流電圧Ｖ２が供給されるように構成されている。すなわち、入力端子１９と出力端子３１は別々の端子として設けてコネクターで接続しても良いが、一つの接続点として構成しても良い。そして、それらはいずれの場合も本発明の入力端子１９、出力端子３１に含まれるものとする。
【００５５】
また、加熱装置８には、外部交流電源３０に接続した変圧器３２と、切り替え可能な電源回路２５、すなわちこの変圧器３２の二次側に全波整流回路と倍電圧整流回路を切り替えて整流を行い出力電圧を所定の電圧に変換する電源回路２５とを設けている。そして、全波整流回路に切り替えたときの直流電圧を２４Ｖとし、倍電圧整流回路に切り替えたときの直流電圧を４８Ｖとするものである。
【００５６】
上記構成により、通常、キャビネット４内の温度が所定温度より高い場合は、通信装置５が安定して動作できるので、交流・直流変換装置１７から直流電圧が供給されて通信装置５が動作するとともに第１の送風ファン１４と第２の送風ファン１５も前記直流電圧の供給を受けて、第１吸気口９から外気である第１環境の空気を吸い込み熱交換器１６を通過させて第１吐出口１０から再び第１環境へ吹出すとともに、第２吸気口１１からキャビネット４内の空気を吸い込んで、熱交換器１６を通過させて第２吐出口１２からキャビネット４内へ吹出すこととなり、キャビネット４内の空気の熱が排出される。
【００５７】
一方、外気温が低く例えば氷点下の温度で、基地局を始めて稼動させる際には、キャビネット４内の温度が所定温度より低く、通信装置５が安定した動作できないので交流・直流変換装置１７からの直流電圧は供給されず、外部交流電源３０のみが供給されることとなる。
【００５８】
このとき、外部交流電源３０のみが供給されるので、変圧器３２から電源回路２５は直流電圧を発生し、電源回路２５は、全波整流回路に設定されていて、制御回路を動作させることとなる。
【００５９】
そして、加熱制御部２４は、第１電圧検出部２１と温度検出部２２が第１直流電圧Ｖ１と第２環境の温度を検知して、第３駆動部２８により電気ヒータ２３の駆動を行い、第１駆動部２６により第２直流電圧Ｖ２をそのまま供給して、第２駆動部２７により第２の送風ファン１５を駆動して第２環境の加熱を開始する。
【００６０】
すなわち、図５に示すフローチャートのように、加熱制御部２４は、ステップ１とステップ２で第１電圧検出部２１と温度検出部２２でそれぞれ第１直流電圧Ｖ１とキャビネット４内の温度検知と判定を行い出力端子３１から入力端子１９へ供給されている第２直流電圧Ｖ２を第２の送風ファン１５へ供給する。
【００６１】
そして、第１駆動部２６は、図６のフローチャートのように、ステップ４の所定の時間が経過すると第２直流電圧Ｖ２の計測を行い、ステップ５のように、第２電圧検出部２９が計測した電圧値をもとに電圧値の判別を行う。この電圧値があらかじめ設定しておいた電圧値に対して高い場合は所定の電圧が供給されていると判別し、ステップ６のように、電源回路２５が有する整流回路の方式は切り替えない。すなわち、全波整流回路の状態で直流電圧を供給することになり、２４Ｖが供給されることとなる。
【００６２】
また、あらかじめ設定しておいた電圧値に対して低い場合は、所定の電圧が供給されていないと判定して、ステップ７のように、電源回路２５を全波整流回路から倍電圧整流回路へと切り替えて４８Ｖが出力されるようになる。
【００６３】
ここで、あらかじめ設定しておいた電圧値とは、例えば、第１直流電圧Ｖ１の定格値に対して、数Ｖ低めに設定した電圧値を基準にすると、電源回路２５の設定が初期は全波整流回路すなわち出力電圧の低い側となっていることから、２４Ｖが出力され第２電圧検出部２９が直接第２直流電圧を計測することで、あらかじめ設定して電圧値と比較することで容易に所定の直流電圧に切り替えることができる。
【００６４】
そして、加熱装置８は、第２直流電圧Ｖ２として、第１直流電圧Ｖ１に相当した直流電圧を出力端子３１から入力端子１９を通して電子機器冷却ユニット７へ供給して、第２の送風ファン１５を所定の電圧で駆動して、キャビネット４内の空気を循環させるとともに、電気ヒータ２３で空気の加熱を行い、キャビネット４内の温度を暖めることとなる。
【００６５】
すなわち、加熱装置８は外部交流電源３０が供給されていて、電源回路２５は、全波整流回路と倍電圧整流回路を切り替えて外部交流電源３０を所定の直流電圧に調整した第２直流電圧Ｖ２を発生させて出力端子３１から入力端子１９へ供給することで、加熱装置８  から電子機器冷却ユニット７へ第２直流電圧Ｖ２を供給することができ、第２の送風ファン１５を駆動するとともに外部交流電源３０に接続された電気ヒータ２３によって温められた空気を第２環境内へ送風して、キャビネット４内の空気を暖めることができ、多数の電子部品が搭載された送・受信機５の起動を可能にする起動加熱を行うこととなる。
【００６６】
また、電源回路２５が、変圧器３２の二次側で全波整流回路と倍電圧回路を切り替えて直流電圧を発生させることで、所定の電圧を電子機器冷却ユニット７へ供給することができ、外部直流電源１８の電圧に合せた電圧を第２の送風ファン１５へ供給することが可能となる。特に、全波整流回路に切り替えたときの出力電圧または、倍電圧整流回路に切り替えたときの出力電圧のどちらか一方を２４Ｖまたは、４８Ｖとなるように変圧器３２の変圧比を調整しておくことで他方の直流電圧にも容易に対応することができ、安価な加熱装置８を実現することができる。
【００６７】
そして、結果として、加熱装置８は、一機種を用意するだけで、複数の電圧に対応することができ、コストダウンを実現した発熱体収納装置用冷却装置を提供することができる。
【００６８】
また、所定時間内は、電源回路２５は、第２直流電圧を低い側の電圧で出力し、第２の送風ファン１５が駆動され、その後、第２電圧検出部２９の信号により所定の電圧へ切り替えられる。すなわち、所定時間内は、第２直流電圧Ｖ２を低い側の電圧で出力することで、第２電圧検出部２９は、第２直流電圧Ｖ２を計測して、第１駆動部２６は、第２直流電圧Ｖ２を判別してその後所定の電圧へ切り替えることができ、第２の送風ファン１５へ許容動作電圧を超える電圧を供給することを防止できる。
【００６９】
なお、所定時間は、第２電圧検出部２９が、第２直流電圧Ｖ２の計測ができる状態を実現するまでの時間とすれば良く、特に本実施の形態のように電圧を計測する場合は、所定の時間を設けなくても同様の作用効果が得られる。この場合、第２の送風ファン１５へいち早く所定の直流電圧の供給が行え、キャビネット４内も早く暖めることができる。
【００７０】
以上のように、発熱体収納装置用冷却装置６は、第２環境である発熱体収納装置内の温度が低いときに外部交流電源３０から電源の供給を受けて第２の送風ファン１５と電気ヒータ２３を駆動して、第２環境温度を上げることとができる。そして、通信装置５の動作を開始させることができる。
【００７１】
すなわち、発熱体収納装置内の温度が低い場合でも内部の温度を上げて、通信装置５の動作環境温度を確保することができる。特に、加熱装置８は、一機種を用意するだけで、複数の電圧に対応することができ、結果としてコストダウンを実現した発熱体収納装置用冷却装置とこれを用いた発熱体収納装置を提供することができる。
【００７２】
（実施の形態２）
本実施の形態は、実施の形態１に対して、第２電圧検出部３３（図示していない）が、第２の送風ファン１５の回転数を計測して、あらかじめ設定した回転数をもとに第２直流電圧Ｖ２を判別する第１駆動部３４を構成とする。その他の部分は、同一符号を付してその詳細な説明は省略する。
【００７３】
上記構成により、第１駆動部３４は、図７のフローチャートのように、ステップ８の所定の時間が経過すると第２直流電圧Ｖ２の計測を行い、ステップ９のように、第２電圧検出部３３が計測した第２の送風ファン１５の回転数をもとに電圧値の判別を行う。この回転数があらかじめ設定しておいた回転数に対して高い場合は所定の電圧が供給されていると判別し、ステップ１０のように、整流回路の方式は切り替えない。すなわち、全波整流回路の状態で直流電圧を供給することになり、２４Ｖが供給されることとなる。
【００７４】
また、あらかじめ設定しておいた回転数に対して低い場合は、所定の電圧が供給されていないと判定して、ステップ１１のように、整流回路を全波整流回路から倍電圧整流回路へと切り替えて４８Ｖが出力されるようになる。
【００７５】
ここで、あらかじめ設定しておいた回転数とは、例えば、第１直流電圧Ｖ１の定格値に対して、数Ｖ低めに設定したときの回転数を基準にすると、整流回路の設定が初期は全波整流回路すなわち出力電圧の低い側となっていることから、２４Ｖが出力され第２の送風ファン１５はこの電圧に応じた回転数となり、あらかじめ設定しておいた回転数と比較することで容易に所定の直流電圧に切り替えることができる。
【００７６】
そして、加熱装置８は、第２直流電圧Ｖ２として、第１直流電圧Ｖ１に相当した直流電圧を出力端子３１から入力端子１９を通して電子機器冷却ユニット７へ供給して、第２の送風ファン１５を所定の電圧で駆動して、キャビネット４内の空気を循環させるとともに、電気ヒータ２３で空気の加熱を行い、キャビネット４内の温度を暖めることとなる。
【００７７】
所定時間内は、第２直流電圧Ｖ２を低い側の電圧で出力することで、第２電圧検出部３３は、第２の送風ファン１５の回転数を計測して、第１駆動部３４は、第２直流電圧Ｖ２を判別し、その後所定の電圧へ切り替えることができ、第２の送風ファン１５へ許容動作電圧を超える電圧を供給することを防止できる。そして、加熱装置８は、一機種を用意するだけでも複数の外部直流電圧に対応することができる。結果として、コストダウンを実現した発熱体収納装置用冷却装置を提供することができる。
【００７８】
（実施の形態３）
本実施の形態は、実施の形態１に対して、第２電圧検出部３５（図示していない）が、第２の送風ファン１５の電流値を計測して、あらかじめ設定した電流値をもとに第２直流電圧Ｖ２を判別する第１駆動部３６を設けた構成とする。その他の部分は、同一符号を付してその詳細な説明は省略する。
【００７９】
上記構成により、第１駆動部３６は、図８のフローチャートのように、ステップ１２の所定の時間が経過すると第２直流電圧Ｖ２の計測を行い、ステップ９のように、第２電圧検出部３５が計測した第２の送風ファン１５の電流値をもとに電圧値の判別を行う。この電流値があらかじめ設定しておいた電流値に対して高い場合は所定の電圧が供給されていると判別し、ステップ１０のように、整流回路の方式は切り替えない。すなわち、全波整流回路の状態で直流電圧を供給することになり、２４Ｖが供給されることとなる。
【００８０】
また、あらかじめ設定しておいた電流値に対して低い場合は、所定の電圧が供給されていないと判定して、ステップ１１のように、整流回路を全波整流回路から倍電圧整流回路へと切り替えて４８Ｖが出力されるようになる。
【００８１】
ここで、あらかじめ設定しておいた電流値とは、例えば、第１直流電圧Ｖ１の定格値に対して、数Ｖ低めに設定したときの電流値を基準にすると、整流回路の設定が初期は全波整流回路すなわち出力電圧の低い側となっていることから、２４Ｖが出力され第２の送風ファン１５はこの電圧に応じた電流値となり、あらかじめ設定しておいた電流値と比較することで容易に所定の直流電圧に切り替えることができる。
【００８２】
そして、加熱装置８は、第２直流電圧Ｖ２として、第１直流電圧Ｖ１に相当した直流電圧を出力端子３１から入力端子１９を通して電子機器冷却ユニット７へ供給して、第２の送風ファン１５を所定の電圧で駆動して、キャビネット４内の空気を循環させるとともに、電気ヒータ２３で空気の加熱を行い、キャビネット４内の温度を暖めることとなる。
【００８３】
所定時間内は、第２直流電圧Ｖ２を低い側の電圧で出力することで、第２電圧検出部３５は、第２の送風ファン１５の電流値を計測して、第１駆動部３６は、第２直流電圧Ｖ２を判別し、その後所定の電圧へ切り替えることができ、第２の送風ファン１５へ許容動作電圧を超える電圧を供給することを防止できる。そして、加熱装置８は、一機種を用意するだけでも複数の外部直流電圧に対応することができる。結果として、コストダウンを実現した発熱体収納装置用冷却装置を提供することができる。
【００８４】
（実施の形態４）
本実施の形態は、実施の形態１に対して、第２電圧検出部３７（図示せず）が、あらかじめ第１直流電圧を特定する設定を切り替えスイッチ３９（図示せず）のスイッチ入力で設定する構成とし、第１駆動部３８が切り替えスイッチ３９の設定をもとに電源回路の整流方式を切り替える構成とする。その他の部分は、同一符号を付してその詳細な説明は省略する。
【００８５】
上記構成により、第２電圧検出部３７は、図９のフローチャートのように切り替えスイッチ３９の設定に応じた信号を第１駆動部３８へ送ることとなり、第１駆動部３８は、電源回路を切り替えて第２直流電圧を所定の電圧に調整する。
【００８６】
第２電圧検出部３７は、第１駆動部３８にて第２直流電圧Ｖ２を所定の電圧へ調整することができ、第２の送風ファン１５へ許容動作電圧を超える電圧を供給することを防止できる。そして、加熱装置８は、一機種を用意するだけでも複数の外部直流電圧に対応することができる。結果として、コストダウンを実現した発熱体収納装置用冷却装置を提供することができる。
【産業上の利用可能性】
【００８７】
通信機器の基地局や、その他屋外設置機器における冷却設備としてきわめて有用なものとなる。
【符号の説明】
【００８８】
１    ビルディング
２    屋上
３    携帯電話の基地局
４    キャビネット
５    通信装置
６    発熱体収納装置用冷却装置
７    電子機器冷却ユニット
８    加熱装置
１３  本体ケース
１５  第２の送風ファン
１７  交流・直流変換装置
１８  外部直流電源
１９  入力端子
２０  制御部
２１  第１電圧検出部
２２  温度検出部
２３  電気ヒータ
２４  加熱制御部
２５  電源回路
２６  第１駆動部
２７  第２駆動部
２８  第３駆動部
２９  第２電圧検出部
３０  外部交流電源
３１  出力端子
３２  変圧器
３３  第２電圧検出部
３４  第１駆動部
３５  第２電圧検出部
３６  第１駆動部
３７  第２電圧検出部
３８  第１駆動部
３９  切り替えスイッチ
【図１】
0005029448.tif 000002
【図２】
0005029448.tif 000003
【図３】
0005029448.tif 000004
【図４】
0005029448.tif 000005
【図５】
0005029448.tif 000006
【図６】
0005029448.tif 000007
【図７】
0005029448.tif 000008
【図８】
0005029448.tif 000009
【図９】
0005029448.tif 000010